(57)【要約】【課題】発光素子の個別的なばらつき保障しながら必要最小限の電流を発光部に流せば足りるエレベーターの制御システムを得ること。【解決手段】送信データを送る第１発光部１８と、第１発光部１８の電流を制御する第１電流制御部１７とを有する第１制御装置１０と、第１制御装置１０と第２制御装置２０とを光伝送で送受信するエレベーターの制御システムにおいて、第２制御装置２０には、第１発光部１８からの第１送信データを第１受信データとして受信する第１受光部２８と、第１受信データを第２送信データとして第１制御装置１０に送る第２発光部２９とを備えており、第１制御装置１０には、第２送信データを第２受信データとして受信する第２受光部１９と、第２受信データと第１送信データとの整合性により受信の可否を判断する判断部１６と、判断部１６の受信可能との判断に基づいて電流制御部１７の電流値を調整するものである。【選択図】          図１
2007099432.tif 000002
【特許請求の範囲】
【請求項１】
送信データを送る第１発光手段と、該第１発光手段の電流を制御する電流制御手段とを有する第１制御装置と、該第１制御装置と第２制御装置とを光伝送で送受信するエレベーターの制御システムにおいて、
前記第２制御装置には、前記第１発光手段からの第１送信データを第１受信データとして受信する第１受光手段と、前記第１受信データを第２送信データとして前記第１制御装置に送る第２発光手段とを備えており、
前記第１制御装置には、前記第２送信データを第２受信データとして受信する第２受光手段と、前記第２受信データと前記第１送信データとの整合性により受信の可否を判断する判断手段とを備え、
前記判断手段の受信可能との判断に基づいて前記電流制御手段の電流値を調整する、
ことを特徴とするエレベーターの制御システム。
【請求項２】
前記電流制御手段は、前記判断手段の受信可能な最小電流に基づく判断により電流値を調整する、
ことを特徴とする請求項１に記載のエレベーターの制御システム。
【発明の詳細な説明】
【技術分野】
【０００１】
本発明は、エレベーターの制御システムに関するものである。
【背景技術】
【０００２】
従来のエレベーターの制御システムは、複数の制御装置間を光伝送で通信する場合、光度の低下分を見込んでその低下した光度において、受信側が受光可能なように、送信側の光度又は、受信側の感度を上げていた。
光度の低下は、第１に初期から固定的に存在する、通信路の長さによる減衰、回路構成素子のばらつきなどがある。第２に経年的に進行する、温度,外乱光などの環境変動、発光素子,光ファイバケーブルの光学的な劣化、コネクタ挿抜による物理的な変形、接合面の汚れによる結合損失の増加などがある。これらの光度低下の要因を補償する分だけ、送信側の光度又は、受信側の感度を上げていた。
【０００３】
発光素子の経年劣化の補正に関しては下記特許文献1に記載のエレベーターの制御システムが知られている。かかる制御システムは、ドット式ＬＥＤ表示器を用い、各ＬＥＤの輝度の経年劣化を、それぞれのＬＥＤ個別の点灯時間により自動補正している。
【０００４】
上記制御システムによれば、各ドットＬＥＤ個別の点灯時間により表示文字の輝度の経年劣化を自動補正するため、長期間稼働した場合でも、稼働開始時の表示文字の輝度を確保可能となり、表示文字の見やすい表示装置が実現できる。
【０００５】
【特許文献１】特開２０００−１３２１１８号公報
【発明の開示】
【発明が解決しようとする課題】
【０００６】
しかしながら、上記エレベーターの制御システムは、発光素子の経年劣化を予め予測した最悪ケースの特性データに基づき補正していた。つまり、発光素子の個別的なばらつきを補正することができなかった。
さらに、発光素子の経年劣化のほかにも光度を低下させる要因が上記のようにあるが、かかる要因に補うように発光素子の発光強度を強くすると、発光素子に流れる電流が増加する。かかる増加により発光素子の寿命が低減するという課題があった。
【０００７】
本発明は上記課題を解消するためになされたもので、発光素子の個別的なばらつき保障しながら必要最小限の電流を発光部に流せば足りるエレベーターの制御システムを提供することを目的とする。
【課題を解決するための手段】
【０００８】
第１の発明に係るエレベーターの制御システムは、送信データを送る第１発光手段と、該第１発光手段の電流を制御する電流制御手段とを有する第１制御装置と、該第１制御装置と第２制御装置とを光伝送で送受信するエレベーターの制御システムにおいて、前記第２制御装置には、前記第１発光手段からの第１送信データを第１受信データとして受信する第１受光手段と、前記第１受信データを第２送信データとして前記第１制御装置に送る第２発光手段とを備えており、前記第１制御装置には、前記第２送信データを第２受信データとして受信する第２受光手段と、前記第２受信データと前記第１送信データとの整合性により受信の可否を判断する判断手段とを備え、前記判断手段の受信可能との判断に基づいて前記電流制御手段の電流値を調整する、ことを特徴とするものである。
【０００９】
第２の発明に係るエレベーターの制御システムにおける電流制御手段は、判断手段の受信可能な最小電流に基づく判断により電流値を調整する、ことを特徴とするものである。
【発明の効果】
【００１０】
第１の発明によれば、第２制御装置には、第１発光手段からの第１送信データを第１受信データとして受信する第１受光手段と、第１受信データを第２送信データとして前記第１制御装置に送る第２発光手段とを備えており、第１制御装置には、第２送信データを第２受信データとして受信する第２受光手段とを備えたエレベーターの制御システムであって、判断手段が第２受信データと前記第１送信データとの整合性により受信の可否を判断し、判断手段の受信可能との判断に基づいて電流制御手段の電流値を調整する。したがって、発光手段の個別的なばらつき保障しながら必要最小限の電流を発光手段に流せば足りる。これにより、発光素子の寿命も増加するという効果がある。
【００１１】
第２の発明によれば、電流制御手段は判断手段の受信可能な最小電流に基づく判断により電流値を調整したので、送受信の信頼性も増加するという効果がある。
【発明を実施するための最良の形態】
【００１２】
実施の形態1．
本発明の一実施の形態を図１を参照して説明する。図１は一実施の形態を示すエレベーターの制御システムの構成を示す全体図である。
図１において、エレベーターの制御システム１は、第１制御装置１０と第２制御装置２０とを光伝送で送受信するように形成されている。
第１制御装置１０は、第１ＣＰＵ１１と、第１ＲＯＭ１３と、第１ＲＡＭ１５とを有している。第１制御装置１０は、第1送信データ、つまりデジタル信号を送る第１発光ダイオードから成る第１発光部１８と、第２制御装置２０からの第2送信データ、つまりデジタル信号を第２受信データとして受取るフォトダイオードから成る第２受光部１９と、第２受信データと第１送信データとの整合性により受信の可否を判断する第１判断部としての第１通信制御部１６と、第１通信制御部１６の受信可能な判断に基づいて第１発光部１８の電流値を調整する第１電流制御部１７と、を備えている。
【００１３】
第２制御装置２０は、第２ＣＰＵ２１と、第２ＲＯＭ２３と、第２ＲＡＭ２５とを有している。第２制御装置２０は、第２送信データ、つまりデジタル信号を送る第２発光ダイオードから成る第２発光部２９と、第１制御装置１０からの第１送信データ、つまりデジタル信号を第１受信データとして受取るフォトダイオードから成る第１受光部２８と、第１受信データと第２送信データとの整合性により受信の可否を判断する第２判断部としての第２通信制御部２６と、第２通信制御部２６の受信可能との判断に基づいて第２発光部２９の電流値を調整する第２電流制御部２７と、を備えている。
【００１４】
エレベーターの制御システム１は、第１制御装置１０の第１発光部１８と第２制御装置２０の第１受光部２８とが光ファイバーから成る第１通信線３１で接続され、第２制御装置２０の第２発光部２９と第１制御装置１０の第２受光部１９とが光ファイバーから成る第２通信線３３により接続されている。
【００１５】
上記のように構成されたエレベーターの制御システムの動作を図１から図３を参照して説明する。図２は図１に示す制御システムの送信処理動作を示すフローチャート、図３は図１に示す制御システムの受信処理動作を示すフローチャートである。
第１制御装置１０の第１通信制御部１６は、開始コマンドを第１発光部１８から第１通信線３１を介して第２制御装置２０の第１受光部２８に送信し(ステップＳ１０１)、第２通信制御部２６は、応答コマンドを第２発光部２９から第２通信線３３を介して第１制御装置１０の第２受光部１９に送信する(ステップＳ２０１)。第１ＣＰＵ１１は、応答コマンドを受信したか否かを判断する(ステップＳ１０２)。
ステップS１０２において受信していると、第１ＣＰＵ１１は第１電流制御部１７の電流値を最大に設定する(ステップＳ１０３)。第１通信制御部１６は、予め定められた点検データとしての第１送信データを第１発光部１８から第１通信線３１を介して第２制御装置２０の第１受光部２８に送信する(ステップＳ１０５)。
【００１６】
第２制御装置２０の第１受光部２８が通信線３１を介して第１送信データを第１受信データとして受信し、第２通信制御部２６は、点検データ、つまり第１受信データを受信したか否かを判断し(ステップＳ２０３)、受信したと判断すれば、第２通信制御部２６は、第１受信データと同一の第２送信データを第２発光部２９から第２通信線３３を介して第１制御装置１０の第２受光部１９に送信し(ステップＳ２０５)、第２受光部１９が第２送信データを第２受信データとして受信する(ステップＳ１０６)。
【００１７】
第１通信制御部２６は第２受信データと第１送信データとの整合性により受信の可否を判断し(ステップＳ１０７)、受信が可能と判断すれば、第１電流制御部１７は電流からΔｉを減算して新たな電流とし(ステップＳ１０９)、上記ステップＳ１０５を実行して上記ステップＳ１０７において、受信の可否を判断して受信が可能であれば、ステップＳ１０５〜ステップＳ１０７を繰り返す。
一方、上記ステップＳ１０７において、受信の可否を判断して受信が不可であれば、第１電流制御部１７は電流からΔｉを加算して新たな電流とする(ステップＳ１１１)。
【００１８】
第１制御装置１０の第１通信制御部１６は、点検モードの終了データを第１発光部１８から第１通信線３１を介して第２制御装置２０の第１受光部２８に送信し(ステップＳ１１３)、第１制御装置１０の動作を終了すると共に、第２通信制御部２６は、該終了データを受信することにより第２制御装置１０の動作を終了する。
【００１９】
上記実施の形態によれば、第２制御装置２０には、第１発光部１８からの第１送信データを第１受信データとして受信する第１受光部２８と、第１受信データを第２送信データとして第１制御装置１０に送る第２発光部１８とを備えており、第１制御装置１０には、第２送信データを第２受信データとして受信する第２受光部１９とを備え、第１判断部１６が第２受信データと第１送信データとの整合性により受信の可否を判断し、第１調整部１７が第１判断部１６の受信可能との判断に基づいて第１電流制御部１７の電流値を調整する。したがって、第１発光部１８の個別的なばらつき保障しながら必要最小限の電流を第１発光部１８に流せば足りる。これにより、第１発光部１８の発光素子の寿命も増加するという効果がある。
また、第１調整部１７は第１判断部１６の受信可能な最小電流に基づく判断により第１電流制御部１７の電流値を調整したので、送受信の信頼性も増加するという効果がある。
【産業上の利用可能性】
【００２０】
本発明は、エレベーターに適用できる。
【図面の簡単な説明】
【００２１】
【図１】本発明の一実施の形態を示すエレベーターの制御システムの構成を示す全体図である。
【図２】図１に示す制御システムの送信処理動作を示すフローチャートである。
【図３】図１に示す制御システムの受信処理動作を示すフローチャートである。
【符号の説明】
【００２２】
１０  第１制御装置、１６  第１通信制御部、１７  第１電流制御部、１８  第１発光部、１９  第２受光部、２０  第２制御装置、２６  第２通信制御部、２７  第２電流制御部、２８  第１受光部、２９  第２発光部。
【図１】
2007099432.tif 000003
【図２】
2007099432.tif 000004
【図３】
2007099432.tif 000005